(57)【要約】【課題】パッキンの取付を容易にし、保持を強固にすることができ、防水・防臭機能の向上が図れる床点検口を提供する。【解決手段】床部１の開口部２内に取り付けられる外枠１０と、外枠内に着脱可能に嵌合する内枠２０を周縁に装着する蓋体３０と、外枠に設けられた蓋体受け部１２に装着され、蓋体に圧接するパッキン材４０と、を具備する床点検口において、蓋体受け部は、外枠の垂直壁１１の下端に延在する水平片１５と、水平片１５の内側端から起立する垂直片１６と、垂直片の上端に延在する上部水平片１７とからなり、垂直壁、水平片、垂直片及び上部水平片とで上方が開口するパッキン取付部１９を形成する。パッキン材を、弾性を有する角部が切り欠かれた断面段状の無端状に形成し、パッキン材の一つの突部４１を上部水平片の下面側に接し、他の突部４２を上端が上部水平片よりも突出した係合状態で保持する。【選択図】図２
2018016936.tif 000002
【特許請求の範囲】
【請求項１】
床部に設けられた略方形状の開口部内に取り付けられる外枠と、該外枠内に着脱可能に嵌合する内枠と、該内枠を周縁に装着する蓋体と、上記外枠の下端から内方に延在する蓋体受け部に装着され、上記蓋体の下面外周に圧接するパッキン材と、を具備する床点検口であって、
上記蓋体受け部は、上記外枠の垂直壁の下端から内方に向かって延在する水平片と、該水平片の内側端から垂直方向に起立する垂直片と、該垂直片の上端から外方に向かって延在する上部水平片とからなり、上記垂直壁、水平片、垂直片及び上部水平片とで上方が開口するパッキン取付部が形成され、
上記パッキン材は、弾性を有する角部が切り欠かれた断面段状に形成されると共に、無端状に形成され、
上記パッキン材は、該パッキン材の一つの突部が上記上部水平片の下面側に接し、他の突部の上端が上記上部水平片よりも突出した係合状態で保持される、
ことを特徴とする床点検口。
【請求項２】
請求項１記載の床点検口において、
上記パッキン材は、長手通しの中空部を有する中空状に形成されている、ことを特徴とする床点検口。
【請求項３】
請求項１又は２に記載の床点検口において、
上記パッキン材は、スポンジゴム製形材にて形成され、表面にスキン層が形成されている、ことを特徴とする床点検口。
【発明の詳細な説明】
【技術分野】
【０００１】
この発明は、床点検口に関するもので、更に詳細には、防水・防臭機能を有する床点検口に関するものである。
【背景技術】
【０００２】
従来、防水・防臭仕様の床点検口として、床部に設けられた正方形、長方形等の略矩形状の開口部内に取り付けられる外枠と、この外枠内に着脱可能に嵌め込まれる蓋体の周縁の内枠とを、外枠に保持されたパッキンを介して固定ねじ等の固定手段で固定する構造の床点検口が知られている（例えば、特許文献１参照）。
【０００３】
特許文献１に記載の床点検口においては、外枠の立ち上がり板部の下端内方に延在する水平板部と、この水平板部の内側端部から起立する板部と、この板部の上端外方に延在する上部板部とからなる凹部内に断面矩形状のパッキンが収納保持されている。この場合、パッキンの上端平坦面が凹部より上方に突出した状態で保持されている。
【先行技術文献】
【特許文献】
【０００４】
【特許文献１】特許第５６２３０５７号公報（段落００１１、図２）
【発明の概要】
【発明が解決しようとする課題】
【０００５】
しかしながら、特許文献１に記載の床点検口においては、パッキンは凹部内に隙間を残した状態で保持されるため、保持が十分でなく倒れが生じ、気密性が損なわれる懸念がある。
【０００６】
パッキンの保持を十分にするために、両面テープを用いてパッキンを凹部の底部に貼着する方法が考えられるが、両面テープ貼りは細心の注意が必要となり、一度貼ってしまうと外すのが大変なため、作業が面倒であるという問題がある。また、両面テープ貼りだとパッキンが凹部に固定されて長さが変わらないため、点検口の一辺よりも短い直状のものをつなぎ合わせなければならず、施工性が悪いという問題がある。
【０００７】
この発明は、上記事情に鑑みてなされたもので、パッキンの取付を容易にすると共に、保持を強固にすることができ、防水・防臭機能の向上が図れる床点検口を提供することを課題とする。
【課題を解決するための手段】
【０００８】
上記課題を解決するため、この発明は、床部に設けられた略方形状の開口部内に取り付けられる外枠と、該外枠内に着脱可能に嵌合する内枠と、該内枠を周縁に装着する蓋体と、上記外枠の下端から内方に延在する蓋体受け部に装着され、上記蓋体の下面外周に圧接するパッキン材と、を具備する床点検口であって、上記蓋体受け部は、上記外枠の垂直壁の下端から内方に向かって延在する水平片と、該水平片の内側端から垂直方向に起立する垂直片と、該垂直片の上端から外方に向かって延在する上部水平片とからなり、上記垂直壁、水平片、垂直片及び上部水平片とで上方が開口するパッキン取付部が形成され、上記パッキン材は、弾性を有する角部が切り欠かれた断面段状に形成されると共に、無端状に形成され、上記パッキン材は、該パッキン材の一つの突部が上記上部水平片の下面側に接し、他の突部の上端が上記上部水平片よりも突出した係合状態で保持される、ことを特徴とする（請求項１）。
【０００９】
このように構成することにより、角部が切り欠かれた断面段状に形成されたパッキン材の一つの突部をパッキン取付部の開口内に挿入し、外枠の垂直壁とパッキン材の接触部を押し込んで、一つの突部を上部水平片の下面側に接し、他の突部の上端を上部水平片よりも突出した係合状態で保持することができる。
【００１０】
この発明において、上記パッキン材は、中実であっても差し支えないが、長手通しの中空部を有する中空状に形成されるものでもよい。このように構成することにより、パッキン材に更に弾性をもたせることができる。
【００１１】
また、この発明において、上記パッキン材は、スポンジゴム製形材にて形成され、表面にスキン層が形成されているのが好ましい（請求項３）。
【００１２】
このように構成することにより、パッキン材の表面に切断面が表れず、表面は窪みのない平滑な状態となるので、蓋体に圧接された状態の密着性を良好にすることができる。
【発明の効果】
【００１３】
この発明によれば、上記のように構成されているので、以下のような優れた効果が得られる。
【００１４】
（１）請求項１に記載の発明によれば、角部が切り欠かれた断面段状に形成されたパッキン材の一つの突部をパッキン取付部の上部水平片の下面側に接し、他の突部の上端を上部水平片よりも突出した係合状態で保持することができるので、パッキンの取付を容易にすると共に、保持を強固にすることができ、防水・防臭機能の向上が図れる。
【００１５】
（２）請求項２に記載の発明によれば、パッキン材に更に弾性をもたせることができるので、上記（１）に加えて、更に取付を容易にすることができる。
【００１６】
（３）請求項３に記載の発明によれば、蓋体に圧接された状態の密着性を良好にすることができるので、上記（１），（２）に加えて、更に防水・防臭機能の向上が図れると共に、耐摩耗性の向上及び寿命の増大が図れる。
【図面の簡単な説明】
【００１７】
【図１】この発明に係る床点検口の使用状態を示す断面図である。
【図２】この発明に係る床点検口の要部を示す断面図である。
【図３】この発明に係る床点検口の要部を示す分解断面図である。
【図４】この発明におけるパッキン材の取付状態を示す拡大断面図である。
【図５】この発明におけるパッキン材の別の形状を示す拡大断面図である。
【図６】この発明における外枠、内枠及びパッキン材を示す分解斜視図である。
【図７】上記外枠にパッキン材を取り付けた状態を示す断面斜視図である。
【図８】この発明におけるパッキン材を外枠に取り付ける状態を示す概略断面図である。
【発明を実施するための形態】
【００１８】
以下に、この発明に係る床点検口の実施形態を添付図面に基づいて詳細に説明する。
【００１９】
この発明に係る床点検口は、図１及び図２に示すように、床部１に設けられた略方形状（具体的には、正方形）の開口部２内に取り付けられる外枠１０と、外枠１０内に着脱可能に嵌合する内枠２０と、内枠２０を周縁に装着する蓋体３０と、外枠１０の下端から内方に延在する蓋体受け部１２に装着され、蓋体３０の下面外周に圧接するパッキン材４０と、を具備する。
【００２０】
床部１は、モルタル３の表面に床部用タイル４を貼設して床面が形成されており、モルタル４内に埋設された差し筋５に連結されるアンカー６によって外枠１０が取り付けられている。
【００２１】
外枠１０は、例えばステンレス製部材にて平面視が略方形状（具体的には、正方形）に形成されており、外枠１０の基部を構成する垂直壁１１の下端の内方側に蓋体受け部１２が設けられている。また、外枠１０の下端部の四隅部内方にはねじ孔１３を有するねじ受け部１４が設けられている。
【００２２】
蓋体受け部１２は、垂直壁１１の下端から内方に向かって延在する水平片１５と、水平片１５の内側端から垂直方向に起立する垂直片１６と、垂直片１６の上端から外方に向かって延在する上部水平片１７とからなり、垂直壁１１、水平片１５、垂直片１６及び上部水平片１７とで上方が開口１８するパッキン取付部１９が形成されている。
【００２３】
なお、この場合、水平片１５と上部水平片１７との間の寸法に対して、開口１８の開口寸法は同一又はやや広くなるように形成されている。
【００２４】
内枠２０は、例えばステンレス製部材にて平面視が略方形状（具体的には、正方形）に形成されている。また、内枠２０の基部を構成する垂直壁２１の下端に連結されるステンレス製底板２２によって箱状に形成され、内枠２０の上端部の四隅部内方には、固定ねじ５０を螺合すると共に挿通する挿通ねじ孔２３を有する固定ねじ取付部２４が設けられている。
【００２５】
この場合、固定ねじ取付部２４は、図２及び図３に示すように、底部に挿通ねじ孔２３を設けた円形状凹部２５を有する板状基部２６と、円形状凹部２５の下面と底板２２の上面との間に配置固定される案内筒部２７とで構成されている。なお、案内筒部２７は挿通ねじ孔２３と底板２２に設けられた下部挿通孔２２ａとに連通されている。
【００２６】
蓋体３０は、内枠２０と底板２２との間の案内筒部２７を除く空間部に充填されるモルタル３１と、モルタル３１の表面に貼設されるタイル３２とによって形成されている。
【００２７】
固定ねじ５０は、図２及び図３に示すように、先端部に固定ねじ取付部２４の挿通ねじ孔２３とねじ受け部１４のねじ孔１３に螺合する雄ねじ部５１が設けられ、基端部に円形状凹部２５内に収容される皿状頭部５２が設けられている。このように形成される固定ねじ５０は、円形状凹部２５に配設されるリング状パッキン５３を介してねじ受け部１４のねじ孔１３に螺合することで、固定ねじ５０部の気水密が維持されるようになっている。
【００２８】
次に、パッキン材４０について説明する。パッキン材４０は、角部が切り欠かれた断面段状の弾性を有するスポンジゴム、例えば、耐薬品性能のよいシリコン製スポンジゴムの押出成形品にて形成されており、長手方向の両端部がシリコンシーラントを介して接着された無端状（環状）に形成されている。なお、パッキン材４０の硬度は２５°程度とし、シリコンが圧縮されて止水効果が得られるようにしてある。
【００２９】
この場合、パッキン材４０は断面正方形の一つの角部を直角に切り欠いた断面Ｌ字状に形成され、一つの突部であるＬ字の一方の突部４１（以下に、第１の突部４１という）と他の突部であるＬ字の他方の突部４２（以下に、第２の突部４２という）の幅寸法が同じに形成されている。
【００３０】
このように押出成形品にて形成されるパッキン材４０は、図４に示すように、表面にスキン層４０ａが形成されるので、パッキン材４０の表面に切断面が表れず、表面は窪みのない平滑な状態となる。したがって、パッキン材４０の全表面が撥水効果のあるスキン層４０ａとなる。
【００３１】
なお、図４ではパッキン材４０が中実の場合について説明したが、例えば、図５（ａ）に示すように、切り欠かれた角部と対向する角部の中心部に長手通しの円形状の中空部４３ａを有する中空状パッキン材４０Ａとしてもよく、又は、図５（ｂ）に示すように、Ｌ字状の中空部４３ｂを有する中空状パッキン材４０Ｂとしてもよい。なお、中空部の形状は、円形状、Ｌ字状に限定されるものではなく、その他の形状であってもよい。
【００３２】
パッキン材４０をパッキン取付部１９に取り付けるには、以下のような手順で行う。まず、図８（ａ）に示すように、パッキン材４０のＬ字の一方の第１の突部４１を、第１及び第２の突部４１，４２の幅寸法と同一又はやや広い寸法に形成されたパッキン取付部１９の開口１８内に挿入する。この際、パッキン材４０を斜め上方から挿入する。
【００３３】
次に、図８（ｂ）に示すように、外枠１０の垂直壁１１とパッキン材４０の接触部の上方から薄板状のへらや定規等の押え板６０を接触部に差し込んで、パッキン材４０を弾性変形させつつ第１の突部４１を上部水平片１７の下面側に接触し、Ｌ字の他方の第２の突部４２の上端が上部水平片１７よりも突出した係合状態で保持する。このようにして、外枠１０の四周に設けられたパッキン取付部１９内にパッキン材４０を嵌め込むことができる。
【００３４】
なお、パッキン取付部１９の水平片１５と上部水平片１７との間の寸法がパッキン材４０の第１の突部４１の幅寸法よりも狭い場合には、パッキン材４０が若干潰れた状態となるので、係合状態を良好に保つことができる。
【００３５】
なお、上記実施形態では、この発明におけるパッキン材４０が断面Ｌ字状に形成される場合について説明したが、パッキン材は角部が切り欠かれた断面が段状であれば、その他の形状であってもよい。
【００３６】
上記のように構成される実施形態の床点検口によれば、パッキン材４０，４０A，４０Ｂの取付を容易にすることができると共に、保持を強固にすることができる。また、パッキン材４０，４０A，４０Ｂは倒れることがなく、安定した状態で取り付けられるので、外枠１０内に内枠２０及び蓋体３０を嵌め込んで、固定ねじ５０にて締め付け固定した状態において、パッキン材４０，４０A，４０Ｂの第２の突部４２の平坦面が蓋体３０の底部に圧接することで、防水・防臭機能の向上が図れる。
【００３７】
また、中空状パッキン材４０Ａ，４０Ｂを用いた場合には、パッキン材４０Ａ，４０Ｂに更に弾性をもたせることができるので、更に取付を容易にすることができる。
【００３８】
また、パッキン材４０，４０Ａ，４０Ｂをシリコン製スポンジゴムの押出成形品にて形成することにより、表面にスキン層４０ａが形成されるので、パッキン材４０，４０A，４０Ｂの表面に切断面が表れず、表面は窪みのない平滑な状態となる。したがって、蓋体３０に圧接された状態の密着性を良好にすることができるので、更に防水・防臭機能の向上が図れると共に、耐摩耗性の向上及び寿命の増大が図れる。
【符号の説明】
【００３９】
１  床部
２  開口部
１０  外枠
１１  垂直壁
１２  蓋体受け部
１５  水平片
１６  垂直片
１７  上部水平片
１８  開口
１９  パッキン取付部
２０  内枠
３０  蓋体
４０，４０Ａ，４０Ｂ  パッキン材
４０ａ  スキン層
４１  第１の突部（Ｌ字の一方の突部）
４２  第２の突部（Ｌ字の他方の突部）
４３ａ  円形状中空部
４３ｂ  Ｌ字状中空部
【図１】
2018016936.tif 000003
【図２】
2018016936.tif 000004
【図３】
2018016936.tif 000005
【図４】
2018016936.tif 000006
【図５】
2018016936.tif 000007
【図６】
2018016936.tif 000008
【図７】
2018016936.tif 000009
【図８】
2018016936.tif 000010